(57)【要約】【課題】スライダ上の気流停滞を減少するための装置および方法を提供する。【解決手段】一実施形態において、スライダは、空洞を有する空気ベアリング面を含む。空洞は、当該空洞に沿った気流の膨張を和らげるために当該空洞の上流側に移行構造を含む。乱流誘発構造が、移行構造上に位置決めされる。【選択図】図３
2014022035.tif 000002
【特許請求の範囲】
【請求項１】
空洞を有する空気ベアリング面を備え、前記空洞は、前記空洞に沿った気流の膨張を和らげるために前記空洞の上流側に移行構造を含み、さらに、
前記空洞の上流側の前記移行構造上に位置決めされる乱流誘発構造を備える、スライダ。
【請求項２】
前記移行構造は、段状である、請求項１に記載のスライダ。
【請求項３】
前記空洞の下流側に移行構造をさらに備える、請求項１に記載のスライダ。
【請求項４】
前記空洞の下流側の前記移行構造上に位置決めされる乱流誘発構造をさらに備える、請求項３に記載のスライダ。
【請求項５】
前記乱流誘発構造は、突起部である、請求項１に記載のスライダ。
【請求項６】
前記乱流誘発構造は、極小空洞である、請求項１に記載のスライダ。
【請求項７】
前記乱流誘発構造は、前記スライダの底部側の残りよりも高い表面粗さを有する、請求項１に記載のスライダ。
【請求項８】
前記空洞の床に位置決めされる乱流誘発構造をさらに備える、請求項１に記載のスライダ。
【請求項９】
前記空洞は、副周囲空洞である、請求項１に記載のスライダ。
【請求項１０】
前記乱流誘発構造は、空洞の底面に位置し、凹凸を付けられる、請求項１に記載のスライダ。
【請求項１１】
底側を備え、前記底側の一部は空洞を限定し、前記空洞は、前記空洞に沿った気流の膨張を和らげるために前記空洞の上流側に移行構造を含み、さらに、
前記空洞のすぐ上流の前記底側に位置決めされる乱流誘発構造を備える、スライダ。
【請求項１２】
前記空洞の下流側に移行構造をさらに備える、請求項１１に記載のスライダ。
【請求項１３】
前記移行構造は、段状である、請求項１１に記載のスライダ。
【請求項１４】
前記空洞の上流側の前記移行構造上に位置決めされる乱流誘発構造をさらに備える、請求項１３に記載のスライダ。
【請求項１５】
前記乱流誘発構造は、前記空洞の床に位置決めされる、請求項１１に記載のスライダ。
【請求項１６】
前記乱流誘発構造は、突起部である、請求項１１に記載のスライダ。
【請求項１７】
前記乱流誘発構造は、極小空洞である、請求項１１に記載のスライダ。
【請求項１８】
前記乱流誘発構造は、前記スライダの底部側の残りよりも高い表面粗さを有する、請求項１１に記載のスライダ。
【発明の詳細な説明】
【技術分野】
【０００１】
詳細な説明
本開示は、スライダ上の潤滑剤の蓄積を減少するための装置、システム、および方法に関する。
【発明の概要】
【発明が解決しようとする課題】
【０００２】
潤滑剤は、回転可能な記憶媒体と、ディスクドライブ内のスライダとに用いられ、物理的および化学的な損傷から記憶媒体およびスライダを保護する。記憶媒体に用いられる潤滑剤は、接着部および非接着部を含み得る。潤滑剤の非接着部（または可動部）により、潤滑剤が使い果たされた媒体上の領域が満たされる。しかしながら、可動部は、媒体からスライダに移動して、スライダ上の領域に蓄積する可能性もある。
【０００３】
潤滑剤の媒体からスライダへの移動および蓄積の一機構は、副周囲圧力（sub-ambient pressure）を利用するスライダ設計内の吸引空洞の結果である。スライダの後縁での圧力が、周囲圧力であり、定義上、より高い圧力であるため、副周囲圧力の存在は、空洞に向かって上流方向に逆流を引き起こし得る。逆流は、主流と結合して、流れが停滞する領域、すなわち流れがゼロまたはほぼゼロになる領域を形成し得る。移動した潤滑剤は、これらの流れ停滞点に蓄積しがちである。その結果、蓄積した潤滑剤は、スライダの浮上特性に干渉する可能性があり、特に、読込／書込エラー、および／または、データの処理量の減少を引き起こす。
【０００４】
潤滑剤の蓄積を和らげるためのいくらかの試みによると、停滞点で潤滑剤を「捕える」溝を利用して、潤滑剤が領域を通り前後に流れたり、読込／書込要素に干渉しないようにする。しかしながら、これらの試みは、根本的な問題、つまり流れの停滞に取り組んでいない。
【課題を解決するための手段】
【０００５】
要約
本発明の一実施形態は、概して、スライダ上の潤滑剤の蓄積を減少するための装置および方法に向けられる。
【０００６】
一実施形態において、スライダは、空洞を有する空気ベアリング面を含む。空洞は、当該空洞に沿った気流の膨張を和らげるために当該空洞の上流側に移行構造を含む。乱流誘発構造が、移行構造上に位置決めされる。
【０００７】
本開示の一実施形態は、したがって、スライダ上の流れ停滞を減少するための装置および方法に向けられる。
【図面の簡単な説明】
【０００８】
【図１】スライダ外形の一部の側面図である。
【図２】図１のスライドの底面図である。
【図３】本開示の一実施形態に従うスライダの外形の側面図である。
【図４】本開示の一実施形態に従うスライダの外形の側面図である。
【図５】本開示の一実施形態に従うスライダの外形の側面図である。
【図６】本開示の一実施形態に従うスライダの外形の側面図である。
【図７】本開示の一実施形態に従うスライダの外形の側面図である。
【図８】本開示の一実施形態に従うスライダの外形の側面図である。
【図９Ａ】本開示の一実施形態に従うスライダの外形の側面図である。
【図９Ｂ】本開示の一実施形態に従うスライダの外形の側面図である。
【発明を実施するための形態】
【０００９】
図１は、副周囲空洞１０２を有するスライダ１００の空気ベアリング面（ＡＢＳ）の一部の外形を示す。図２は、スライダ１００および空洞１０２の底側を示す。スライダ１００が記憶媒体の上を浮上すると、主気流は、前縁（上流）から後縁（下流）にＡＢＳの上方を流れる。同時に、一部の気流は、後縁から前縁に向って（逆気流）、主気流と反対方向に流れる。主気流がＡＢＳを横断して、空洞１０２に達すると（図２参照）、気流は、空洞１０２の上流垂直壁１０６を横切って、空洞１０２内に膨張または拡散する。この膨張により、主気流が突然および急速に減速し得、空洞１０２の壁に沿って境界層が分離する可能性もある。減速および分離は、図１および図２の両方に示される状態のように、後縁を横切る逆気流の存在下で悪化し得る。その結果、流れが停滞する可能性が増大し、副周囲空洞の一部に潤滑剤が蓄積する可能性もまた増大する。
【００１０】
図３は、スライダ３００の空気ベアリング面（ＡＢＳ）の一部の外形を示す。スライダ３００は、空洞３０２の上流で移行機構３０４を持つ空洞３０２を有する。移行機構３０４は、スライダ３００に沿って主気流を緩やかに拡散させる。そのため、移行機構３０４は、スライダ壁で境界層剥離を減少でき、前述の空洞の設計に典型的に関連付けられる主流の勢いの損失を減少し得る。空洞３０２において剥離および勢いの損失が減少されることで、空洞３０２内に停滞域が形成される機会が低下する。図３および後述の図面に示されるように、移行機構は、いくつかある形状の中でも特に、段状、傾斜面、および曲面のような多数の設計を有してもよい。
【００１１】
図４〜６は、図３について説明された同様の概念を用いるスライダの設計の実施形態を示す。図４は、副周囲空洞４０２を有するスライダ４００のＡＢＳの一部の外形を示す。空洞４０２は、当該空洞４０２の下流側に移行機構を有する。ここでは、移行機構４０４は、逆流を緩やかに拡散させ、それによって、空洞４０２において逆気流の影響を減少する。移行機構４０４は、段状として示されるが、他の形状であってもよい。図５は、副周囲空洞５０２を有するスライダ５００のＡＢＳの一部の外形を示し、副周囲空洞５０２は、主流および逆流を緩やかに拡散させるように湾曲している。図６は、副周囲空洞６０２を有するスライダ６００のＡＢＳの一部の外形を示す。空洞６０２は、上流側および下流側に移行構造６０４を有し、各側は、段差の目盛が異なる構造６０４を有する。移行構造は、任意の数または可能性の形状を含んでもよいが、全ての可能性が明確に図に示されるわけではない。
【００１２】
図７は、移行構造７０４を持つ副周囲空洞７０２を有するスライダ７００のＡＢＳの一部の外形を示す。移行構造７０４は、乱流または渦誘発構造７０６を有する。乱流誘発構造７０６は、移行構造７０４の凹凸部または粗面部であってもよい。凹凸構造は、たとえば、交互の溝および隆起を含んでもよい。粗面構造は、表面の周囲部分よりも高い表面粗さを有する表面部を含んでもよい。乱流誘発構造７０６は、たとえば移行構造７０４上または空洞床７０８上など、空洞７０２内の複数の場所に位置決めされてもよい。空気が乱流誘発構造７０６上を流れると、流れの境界層が乱れ、それにより、回転するディスク近傍の高せん断層から空洞７０２の壁に近傍の層への大規模な勢いの移行が促進される。この勢いの移行により、主流の勢いが、空洞７０２の大部分の上方に行きわたり、それゆえに、空洞７０２内の流れの停滞域の可能性を減少できる。図８は、副周囲空洞８０２を有するスライダ８００のＡＢＳの一部の外形を示す。乱流誘発構造８０４は、空洞８０２の上流に直接位置決めされ、主流が空洞８０２に流入すると、主流の乱流を誘発する。
【００１３】
図９Ａおよび９Ｂは、移行構造９０４を持つ副周囲空洞９０２を有するスライダ９００のＡＢＳの一部の外形を示す。乱流誘発構造は、空洞の上流に直接位置決めされ、移行構造９０４にもまた位置決めされる。図９Ａに示されるように、乱流誘発構造は、突起部９０６である。図９Ｂに示されるように、乱流誘発構造は、極小空洞９０８である。乱流誘発構造は、スライダの製造過程で使用される方法の中でも、ミリングまたは、エッチングによって形成されてもよい。乱流誘発構造の特徴、形状、および、位置決めは、異なるスライダの設計ごとに最適化されてもよい。たとえば、一実施形態では、および図９Ｂに示されるように、乱流誘発構造は、空洞内の主流の乱流の混合を高めるために無作為に分布されて配置されてもよい。
【００１４】
本発明の様々な実施形態の多くの特徴および利点が、本発明の様々な実施形態の構造および機能の詳細と共に前述の記載で説明されたが、この詳細な記載は一例にすぎず、特に本発明の本質内で、部品の構造および配置については、添付の特許請求の範囲で説明される用語の一般的な広義の意味によって指し示される十分な範囲で、詳細において変更が可能であることが理解されるべきである。
【符号の説明】
【００１５】
１００，３００，４００，５００，６００，７００，８００，９００  スライダ、１０２，３０２，４０２，５０２，６０２，７０２，８０２，９０２，９０８  空洞、１０６  上流垂直壁、３０４，４０４  移行機構、６０４  移行構造、６０４  構造、７０６  乱流誘発構造、７０６  渦誘発構造、９０６  突起部。
【図１】
2014022035.tif 000003
【図２】
2014022035.tif 000004
【図３】
2014022035.tif 000005
【図４】
2014022035.tif 000006
【図５】
2014022035.tif 000007
【図６】
2014022035.tif 000008
【図７】
2014022035.tif 000009
【図８】
2014022035.tif 000010
【図９Ａ】
2014022035.tif 000011
【図９Ｂ】
2014022035.tif 000012
【手続補正書】
【提出日】平成25年8月14日(2013.8.14)
【手続補正１】
【補正対象書類名】特許請求の範囲
【補正対象項目名】全文
【補正方法】変更
【補正の内容】
【特許請求の範囲】
【請求項１】
空洞を有する空気ベアリング面を備え、前記空洞は、前記空洞に沿った気流の膨張を和らげるために前記空洞の上流側に移行構造を含み、さらに、
前記空洞の上流側の前記移行構造上に位置決めされる乱流誘発構造を備える、スライダ。
【請求項２】
前記移行構造は、段状である、請求項１に記載のスライダ。
【請求項３】
前記空洞の下流側に移行構造をさらに備える、請求項１に記載のスライダ。
【請求項４】
前記空洞の下流側の前記移行構造上に位置決めされる乱流誘発構造をさらに備える、請求項３に記載のスライダ。
【請求項５】
前記空洞は、副周囲空洞である、請求項１に記載のスライダ。
【請求項６】
前記乱流誘発構造は、空洞の底面に位置し、凹凸を付けられる、請求項１に記載のスライダ。
【請求項７】
底側を備え、前記底側の一部は空洞を限定し、前記空洞は、前記空洞に沿った気流の膨張を和らげるために前記空洞の上流側に移行構造を含み、さらに、
前記空洞のすぐ上流の前記底側に位置決めされる乱流誘発構造を備える、スライダ。
【請求項８】
前記空洞の下流側に移行構造をさらに備える、請求項７に記載のスライダ。
【請求項９】
前記移行構造は、段状である、請求項７に記載のスライダ。
【請求項１０】
前記空洞の上流側の前記移行構造上に位置決めされる乱流誘発構造をさらに備える、請求項９に記載のスライダ。
【請求項１１】
前記乱流誘発構造は、前記空洞の床に位置決めされる、請求項１または７に記載のスライダ。
【請求項１２】
前記乱流誘発構造は、突起部である、請求項１または７に記載のスライダ。
【請求項１３】
前記乱流誘発構造は、極小空洞である、請求項１または７に記載のスライダ。
【請求項１４】
前記乱流誘発構造は、前記スライダの底部側の残りよりも高い表面粗さを有する、請求項１または７に記載のスライダ。